(57)【要約】【課題】  遊技機における部品の交換作業及びメンテナンス作業を効率的に行う。【解決手段】  液晶枠２１ａには液晶支軸部５０と内ガラス支持部５５とが設けられている。内ガラス支持部５５は、内ガラス受け台５５ａと内ガラス支持孔５５ｂとから構成されている。内ガラス枠２２ｂには、内ガラス支持部５５に対応するように内ガラス支軸部６０が設けられている。内ガラス支軸部６０は、外ガラス腕部６０ａと、内ガラス支軸６０ｂとから構成されている。内ガラス支軸６０ｂを内ガラス支持孔５５ｂに挿入することにより内ガラスユニット２２が液晶ユニット２１に回動自在に軸支される。液晶支軸部５０を本体基部の液晶支持孔に挿入することにより液晶ユニットが本体基部に回動自在に軸支される。また、外ガラス支軸を本体基部の外ガラス支持孔に挿入することにより外ガラスユニットが本体基部に回動自在に軸支される。【選択図】        図７
2006212210.tif 000002
【特許請求の範囲】
【請求項１】
遊技球が打ち出される遊技領域を有する遊技盤が取り付けられる本体基部と、前記遊技領域を視認可能にする開口を有し、前記本体基部の前面に対して開閉自在となるように前記本体基部に軸着される前面扉とを備えた遊技機において、
前記遊技領域の少なくとも一部を覆い、画像の表示を行う透過型表示部を有する画像表示装置を前記遊技盤と前記前面扉との間に位置するように前記本体基部に着脱自在に設け、
前記開口を塞ぐとともに前記透過型表示部の前面を覆う第１透明板と、
前記透過型表示部の背面を覆う第２透明板と、
前記第１透明板を前記本体基部に着脱自在に取り付ける第１保持手段と、
前記第２透明板を前記画像表示装置に着脱自在に取り付ける第２保持手段とを設けたことを特徴とする遊技機。
【請求項２】
前記第１保持手段は、前記第１透明板と前記本体基部との一方に設けられた第１軸と、他方に設けられ、前記第１軸を挿脱自在で且つ回動自在に保持する第１軸受けとから構成されることを特徴とする請求項１記載の遊技機。
【請求項３】
前記第１透明板が前記前面扉に対して回動しないように前記第１透明板と前記前面扉とを一体化させる第１一体化手段を設けたことを特徴とする請求項２記載の遊技機。
【請求項４】
前記第２保持手段は、前記第２透明板と前記画像表示装置との一方に設けられた第２軸と、前記第２軸を挿脱自在で且つ回動自在に保持する第２軸受けとから構成されることを特徴とする請求項１ないし３のいずれか１つに記載の遊技機。
【請求項５】
前記第２透明板が前記画像表示装置に対して回動しないように前記第２透明板と前記画像表示装置とを一体化させる第２一体化手段を設けたことを特徴とする請求項４記載の遊技機。
【請求項６】
前記第１透明板と前記本体基部との一方に設けられた第１軸と、他方に設けられ、前記第１軸を挿脱自在で且つ回動自在に保持する第１軸受けとから第１保持手段を構成し、前記第２透明板と前記画像表示装置との一方に設けられた第２軸と、前記第２軸を挿脱自在で且つ回動自在に保持する第２軸受けとから第２保持手段を構成し、前記画像表示装置、前記第１透明板、及び前記第２透明板が前記前面扉に対して回動しないように前記前面扉、前記画像表示装置、前記第１透明板、及び前記第２透明板を一体化させる第３一体化手段を設けたことを特徴とする請求項１記載の遊技機。
【請求項７】
前記第１保持手段は、前記第１透明板を前記本体基部にスライドさせながら着脱する第１スライド機構からなることを特徴とする請求項１記載の遊技機。
【請求項８】
前記第２保持手段は、前記第２透明板を前記画像表示装置にスライドさせながら着脱する第２スライド機構からなることを特徴とする請求項１〜３、７のいずれか１つに記載の遊技機。
【発明の詳細な説明】
【技術分野】
【０００１】
本発明は、パチンコ店などの遊技場に設置して使用される遊技機に関するものである。
【背景技術】
【０００２】
本明細書中では遊技機としてパチンコ機を例に挙げて説明しているため、遊技球としてパチンコ球を用いて説明する。また、遊技盤の盤面に設けられた入賞口にパチンコ球が入ることを入賞とする。
【０００３】
遊技場に設置されるパチンコ機は、本体基部内に遊技盤が着脱自在に配設されており、その遊技盤の前面には開閉自在な前面扉が設けられている。前面扉には遊技盤に形成されている遊技領域を視認可能にする開口が形成されており、この開口を遮蔽するとともに、遊技領域を覆う複層ガラスが取り付けられている。このようなパチンコ機では遊技場に設置されている状態で、且つ前面扉が施錠装置によって閉じられているときには、何人もパチンコ機の内部の遊技盤や電子機器等には触れることができないようになっている。
【０００４】
ところで、設置されているパチンコ機を遊技性の異なるパチンコ機へ交換する場合には、新たな機種のパチンコ機と設置されているパチンコ機とを一括して交換するか、又は本体基部を据え置きとして遊技盤と遊技盤に取り付けられている部品のみを交換する。パチンコ機には機種に関わらず多くの共通部品が使用されているが、本体基部などを交換してしまうと、共通部品も同時に交換することになって共通部品をリユースできなくなり、機種交換に伴うコストが高くなってしまう。また、遊技盤のみを交換した場合、パチンコ機の外観のデザインに変化がないため、外観から新たな機種のイメージが遊技者に伝わりにくくなる。また、遊技盤のデザインと外観のデザインに統一感がなくなる。そのため、遊技盤及び前面扉を本体基部に着脱自在に取り付け、機種交換の際に遊技盤及び前面扉を交換可能とすることによって、本体基部を据え置きとした際に共通部品のリユースを可能にしながら、パチンコ機の外観のイメージに変化を加えることが検討されている。
【０００５】
また、前面扉の開口を遮蔽している複層ガラスにおけるガラス間に透過型液晶を差し込み、この透過型液晶に画像を表示させるといったことが検討されている（例えば、特許文献１参照）。この場合、ＲＯＭに書き込まれている画像データに基づいて透過型液晶に様々な画像を表示させることでパチンコ機の見栄えを向上させることができる。さらに、ＲＯＭの画像データを変更することで透過型液晶に表示させる画像を変更することができるので、パチンコ機の機種変更に伴うデザイン変更を容易に行うことができる。
【特許文献１】特開２００４−３３３８６号
【発明の開示】
【発明が解決しようとする課題】
【０００６】
しかしながら、透過型液晶を前面扉に取り付けると前面扉の総重量が大きくなってしまい前面扉を本体基部に取り付ける時や前面扉を本体基部から取り外す時などの作業が行い難くなる。また、本体基部と透過型液晶とはハーネスを介して電気的に接続されており、これにより透過型液晶への電源供給やデータ伝送が可能となっているが、前面扉を本体基部に取り付ける時や前面扉を本体基部から取り外す時などにはハーネスが邪魔になり作業が行い難くなってしまう。さらに、前面扉のみを本体基部から取り外したい場合、複層ガラスだけを本体基部から取り外したい場合、あるいは透過型液晶だけを本体基部から取り外したい場合などには一旦前面扉と透過型液晶とを本体基部から取り外さなければならないため、前面扉や透過型液晶の交換、メンテナンス作業が手間取ってしまうといった問題が生じる。
【０００７】
本発明は、上記課題を解決するためになされたものであり、前面扉や透過型液晶の交換作業、並びにメンテナンス作業を効率的に行い、且つ遊技機の機種交換やデザイン変更、部品交換を低コストで行うことができるようにした遊技機を提供することを目的とする。
【課題を解決するための手段】
【０００８】
本発明は上記目的を達成するために、遊技球が打ち出される遊技領域を有する遊技盤が取り付けられる本体基部と、前記遊技領域を視認可能にする開口を有し、前記本体基部の前面に対して開閉自在となるように前記本体基部に軸着される前面扉とを備えた遊技機において、前記遊技領域の少なくとも一部を覆い、画像の表示を行う透過型表示部を有する画像表示装置を前記遊技盤と前記前面扉との間に位置するように前記本体基部に着脱自在に設け、前記開口を塞ぐとともに前記透過型表示部の前面を覆う第１透明板と、前記透過型表示部の背面を覆う第２透明板と、前記第１透明板を前記本体基部に着脱自在に取り付ける第１保持手段と、前記第２透明板を前記画像表示装置に着脱自在に取り付ける第２保持手段とを設けたことを特徴としている。
【０００９】
また、前記第１保持手段は、前記第１透明板と前記本体基部との一方に設けられた第１軸と、他方に設けられ、前記第１軸を挿脱自在で且つ回動自在に保持する第１軸受けとから構成されることが好ましい。
【００１０】
また、前記第１透明板が前記前面扉に対して回動しないように前記第１透明板と前記前面扉とを一体化させる第１一体化手段を設けることが好ましい。
【００１１】
また、前記第２保持手段は、前記第２透明板と前記画像表示装置との一方に設けられた第２軸と、前記第２軸を挿脱自在で且つ回動自在に保持する第２軸受けとから構成されることが好ましい。
【００１２】
また、前記第２透明板が前記画像表示装置に対して回動しないように前記第２透明板と前記画像表示装置とを一体化させる第２一体化手段を設けることが好ましい。
【００１３】
また、前記第１透明板と前記本体基部との一方に設けられた第１軸と、他方に設けられ、前記第１軸を挿脱自在で且つ回動自在に保持する第１軸受けとから第１保持手段を構成し、前記第２透明板と前記画像表示装置との一方に設けられた第２軸と、前記第２軸を挿脱自在で且つ回動自在に保持する第２軸受けとから第２保持手段を構成し、前記画像表示装置、前記第１透明板、及び前記第２透明板が前記前面扉に対して回動しないように前記前面扉、前記画像表示装置、前記第１透明板、及び前記第２透明板を一体化させる第３一体化手段を設けることが好ましい。
【００１４】
また、前記第１保持手段は、前記第１透明板を前記本体基部にスライドさせながら着脱する第１スライド機構からなることが好ましい。
【００１５】
また、前記第２保持手段は、前記第２透明板を前記画像表示装置にスライドさせながら着脱する第２スライド機構からなることが好ましい。
【発明の効果】
【００１６】
本発明の遊技機によれば、透過型表示部を有する画像表示装置を遊技盤と前面扉との間に位置するように本体基部に着脱自在に設け、前面扉の開口を塞ぐとともに透過型表示部の前面を覆う第１透明板と、透過型表示部の背面を覆う第２透明板と、第１透明板を本体基部に着脱自在に取り付ける第１保持手段と、第２透明板を画像表示装置に着脱自在に取り付ける第２保持手段とを設けたので、第１透明板、第２透明板、及び画像表示装置のうち、状況に応じて必要なものだけを取り外すことができ、遊技機における機種またはデザインの変更、部品交換、修理、点検などの作業を効率的に行うことができる。また、取り外した部品を使い回すことができるので、状況に応じたコストダウンを図ることができる。
【００１７】
また、第１保持手段は、第１透明板と本体基部との一方に設けられた第１軸と、他方に設けられ、第１軸を挿脱自在で且つ回動自在に保持する第１軸受けとから構成されるので、第１軸を第１軸受けに挿入するだけで第１透明板を本体基部に容易に取り付けることができ、第１透明板の取り付け作業を効率的に行うことができる。また、第１軸を第１軸受けから引き抜くだけで第１透明板を本体基部から容易に取り外すことができ、第１透明板の取り外し作業を効率的に行うことができる。さらに、第１透明板が本体基部に対して回動自在であるため、必要に応じて第１透明板を回動させるだけでメンテナンス作業を容易に行うことができ、メンテナンス作業の効率化を図ることができる。
【００１８】
また、第１透明板が前面扉に対して回動しないように第１透明板と前面扉とを一体化させる第１一体化手段を設けたので、遊技盤、画像表示装置、第２透明板などの第１透明板及び前面扉以外の部品の取り付け又は取り外し作業やメンテナンス作業を行う場合、第１一体化手段により第１透明板と前面扉とを一体化させることで本体基部に対して回動自在に取り付けられた第１透明板の存在を気にすることなく作業を行うことができる。
【００１９】
また、第２保持手段は、第２透明板と画像表示装置との一方に設けられた第２軸と、第２軸を挿脱自在で且つ回動自在に保持する第２軸受けとから構成されるので、第２軸を第２軸受けに挿入するだけで第２透明板を画像表示装置に容易に取り付けることができ、第２透明板の取り付け作業を効率的に行うことができる。また、第２軸を第２軸受けから引き抜くだけで第２透明板を画像表示装置から容易に取り外すことができ、第２透明板の取り外し作業を効率的に行うことができる。さらに、第２透明板が画像表示装置に対して回動自在であるため、必要に応じて第２透明板を回動させるだけでメンテナンス作業を容易に行うことができ、メンテナンス作業の効率化を図ることができる。
【００２０】
また、第２透明板が画像表示装置に対して回動しないように第２透明板と画像表示装置とを一体化させる第２一体化手段を設けたので、画像表示装置を第２透明板とともに本体基部から取り外す場合、その取り外し作業を安全で且つ効率的に行うことができる。また、遊技盤、前面扉、第１透明板などの第２透明板及び画像表示装置以外の部品の取り付け又は取り外し作業やメンテナンス作業を行う場合、第２透明板と画像表示装置とが一体化されているため、画像表示装置に対して回動自在に取り付けられた第２透明板の存在を気にすることなく作業を行うことができる。
【００２１】
また、第１透明板と本体基部との一方に設けられた第１軸と、他方に設けられ、第１軸を挿脱自在で且つ回動自在に保持する第１軸受けとから第１保持手段を構成し、第２透明板と画像表示装置との一方に設けられた第２軸と、第２軸を挿脱自在で且つ回動自在に保持する第２軸受けとから第２保持手段を構成し、画像表示装置、第１透明板、及び第２透明板が前面扉に対して回動しないように前面扉、画像表示装置、第１透明板、及び第２透明板を一体化させる第３一体化手段を設けたので、この第３一体化手段により前面扉、画像表示装置、第１透明板、及び第２透明板を一体化させると、前面扉を回動させた際に前面扉とともに第１透明板、画像表示装置、及び第２透明板も回動するようになり、メンテナンス作業が行い易くなる。つまり、メンテナンス作業を行うにあたって、前面扉を開放した際に第１透明板、画像表示装置、及び第２透明板が前面扉に対して回動することがなくなるので、第１透明板、画像表示装置、及び第２透明板の存在を気にすることなくメンテナンス作業を行うことができるようになる。
【００２２】
また、第１保持手段は、第１透明板を本体基部にスライドさせながら着脱する第１スライド機構からなるので、この第１スライド機構により第１透明板を本体基部に容易に取り付けることができ、第１透明板の取り付け作業を効率的に行うことができる。また、第１スライド機構により第１透明板を本体基部から容易に取り外すことができ、第１透明板の取り外し作業を効率的に行うことができる。
【００２３】
また、第２保持手段は、第２透明板を画像表示装置にスライドさせながら着脱する第２スライド機構からなるので、この第２スライド機構により第２透明板を画像表示装置に容易に取り付けることができ、第２透明板の取り付け作業を効率的に行うことができる。また、第２スライド機構により第２透明板を画像表示装置から容易に取り外すことができ、第２透明板の取り外し作業を効率的に行うことができる。
【発明を実施するための最良の形態】
【００２４】
以下、本発明の実施形態について図面を参照しながら説明する。図１に示すように、パチンコ機（遊技機）２は、本体基部３と前面扉４とを備えている。本体基部３にはパチンコ球（遊技球）が打ち出される遊技領域５ａが形成された遊技盤５が嵌め込まれている。遊技盤５の背面には、メイン制御基盤（不図示）やサブ制御基盤（不図示）が設けられている。メイン制御基盤は、機種に応じた遊技の実行処理を行うとともに、サブ制御基板に対して命令を行う。サブ制御基盤は、メイン制御基板の命令に基づいて図柄表示装置６の表示制御、ランプ７の点灯制御、スピーカ８から出力される音声制御などの各駆動装置の作動を制御する。
【００２５】
遊技領域５ａには、図柄表示装置６の他に、始動入賞口９、通常入賞口１０、通過入賞口１１、アタッカ１２、アウト口１３が設けられている。図示は省略してあるが、遊技領域５ａにはその他複数の障害釘や風車などが適宜箇所に設けられている。
【００２６】
操作ハンドル１４が操作されると、パチンコ球の発射装置によってパチンコ球が遊技盤５の遊技領域５ａに打ち出され、打ち出されたパチンコ球が始動入賞口９、通常入賞口１０、通過入賞口１１、アウト口１３のいずれかに入る。始動入賞口９にパチンコ球が入賞すると当たり又はハズレを決定する抽選が行われるとともに図柄表示装置６が作動される。図柄表示装置６では、図柄の可変表示及び抽選の結果に応じた演出表示などが行われる。そして、図柄が停止表示されたときに、予め定められた図柄の組み合わせが表示されていると当たりとなり、通常状態から遊技者にとって有利となる当たり状態へと所定期間移行される。
【００２７】
当たり状態となると、当たり状態一回につきアタッカ１２が、その奥に設けられている大入賞口（不図示）を所定時間又はパチンコ球が所定個数入賞するまで開放するように回動され、これが所定回数繰り返される。始動入賞口９、通常入賞口１０、大入賞口にパチンコ球が入賞すると、入賞した入賞口の種類に応じて所定個数のパチンコ球が払い出し口１５から受皿１６に払い出される。一方、始動入賞口９、通常入賞口１０、大入賞口に入賞しなかったパチンコ球はアウト口１３に入ってハズレ球として回収される。
【００２８】
前面扉４の前面には、遊技の演出時やエラーを報知する際に発光されるランプ７と、遊技の演出時やエラーを報知する際に音声を発生するスピーカ８とが設けられている。図２に示すように、前面扉４は本体基部３の前面に対して開閉自在となるように本体基部３に軸着されている。前面扉４には遊技領域５ａを視認可能にする開口４ａが形成されている。
【００２９】
本体基部３には外ガラスユニット２０が設けられており、この外ガラスユニット２０は、開口４ａを塞ぐとともに、後述する透過型液晶２１ｂの前面２１ｃを覆う外ガラス（第１透明板）２０ａを有している。
【００３０】
また、本体基部３には、本体基部３と前面扉４との間に位置するように液晶ユニット（画像表示装置）２１が設けられている。液晶ユニット２１は、略矩形状に形成された液晶枠２１ａと、この液晶枠２１ａに嵌め込まれている板状の透過型液晶（透過型表示部）２１ｂとを備えている。透過型液晶２１ｂは、遊技領域５ａを覆い、その覆った箇所を視認可能にするとともに、画像を表示するものである。透過型液晶２１ｂに表示される画像は、透光性を有するものであり、遊技者は画像の上から遊技領域５ａを視認することができ、遊技領域５ａは常に視認可能な状態になっている。
【００３１】
透過型液晶２１ｂは図示しないハーネスによってサブ制御基盤に電気的に接続されており、サブ制御基盤から入力されるグラフィックデータに基づいて画像を表示する。ハーネスの基端はサブ制御基盤に接続されており、ハーネスの先端に設けられているプラグ（不図示）を液晶ユニット２１に設けられている差込口（不図示）に差し込むことにより透過型液晶２１ｂがサブ制御基盤に電気的に接続される。また、この電気的な接続を解除する場合、液晶ユニット２１の差込口に差し込まれているプラグを引き抜けば良い。このようにハーネスのプラグは液晶ユニット２１の差込口に対して挿脱自在となるように構成されている。
【００３２】
液晶ユニット２１の背面には内ガラスユニット２２が設けられており、この内ガラスユニット２２は、遊技領域５ａを覆うとともに、透過型液晶２１ｂの背面２１ｄ（図７及び図８参照）を覆う内ガラス（第２透明板）２２ａを有している。このようにパチンコ機２では、外ガラス２０ａ、透過型液晶２１ｂ、及び内ガラス２２ａを通して遊技領域５ａが視認されるように構成されている。
【００３３】
図３に示すように、前面扉４の背面４ｂは平坦面になっている。この背面４ｂには開口４ａを取り囲むように枠２７が設けられている。枠２７は外ガラスユニット２０の外ガラス枠２０ｂと略相似形状に形成されている。この枠２７の縁には、外ガラスユニット２０が本体基部３に取り付けられた際に外ガラス枠２０ｂが突き当てられる。
【００３４】
背面４ｂの右側部には、背面４ｂから後方に向けて枠２７の厚み分だけ間隔を空けた突出位置に前面扉４の縦方向の長さと略同等な縦長の板片２８が背面４ｂと略平行になるように設けられている。この板片２８は、背面４ｂに対して略直交するようにして背面４ｂに固定された薄板を背面４ｂから後方に向かう厚みｔ分の位置で折り曲げることにより成形される。板片２８には縦長の開口２８ａが形成されている。
【００３５】
前面扉４の背面視（背面４ｂ側から見て）右上端部には上方に向けて突出した軸心を有する円柱状の上支軸２９が設けられ、背面視右下端部には上支軸２９の軸心と同軸上になるように下方に向けて突出した軸心を有する円柱状の下支軸３０が設けられている。上支軸２９の円周部には、上支軸２９の軸心方向と略直交する外方に向かって板状の操作レバー３１が連結されており、この操作レバー３１は開口２８ａから突出している。
【００３６】
前面扉４の背面視右上端部には上支軸２９の径よりも僅かに大きい径を有する有底円筒状のガイド穴３２ａが形成されており、このガイド穴３２ａは有底円筒状の開口から差し込まれた上支軸２９を収容するものとなる。ガイド穴３２ａの内部の底には圧縮コイルバネ３２ｂの一端が固着されており、上支軸２９の底面には圧縮コイルバネ３２ｂの他端が固着されている。
【００３７】
これにより上支軸２９の上端部は圧縮コイルバネ３２ｂの付勢力によってガイド穴３２ａから突出する。ガイド穴３２ａは、ガイド穴３２ａの内部から開口２８ａに連通する連通部を有しており、この連通部を介して開口２８ａに操作レバー３１を突出させる。開口２８ａから突出している操作レバー３１を下方向に操作すると、上支軸２９は圧縮コイルバネ３２ｂの付勢に抗しながら下方向に移動してガイド穴３２ａの内部に引き込まれる。操作レバー３１による下方向への操作を解除すると、上支軸２９は圧縮コイルバネ３２ｂの付勢力により上方向に移動してガイド穴３２ａの内部から外部に向けて突出する。なお、下支軸３０は前面扉４の下面に一体成形されている。
【００３８】
背面４ｂにおける左側部の上下には一定の間隔を離間させて外ガラス止め部材３５が設けられている。外ガラス止め部材３５は、背面４ｂに対して略直交するように背面４ｂから後方に突出した軸心を有する円柱状の回動軸３５ａと、この回動軸３５ａの側周面に一体成形されている係止片３５ｂとから構成されている。回動軸３５ａは摩擦機能により所望の角度でフリーストップできるように背面４ｂに回動自在に組み込まれている。これにより係止片３５ｂは無段階式に回動される。
【００３９】
背面４ｂにおける左側部には２つの外ガラス止め部材３５の間（略中間部）に位置するように液晶ユニット止め部材３６が設けられている。液晶ユニット止め部材３６は、背面４ｂに対して略直交するように背面４ｂから後方に突出した軸心を有する円柱状の回動軸３６ａと、この回動軸３６ｂの側周面に一体成形されている係止片３６ｂとから構成されている。回動軸３６ａは、回動軸３５ａよりも長く形成されており、さらに摩擦機能により所望の角度でフリーストップできるように背面４ｂに回動自在に組み込まれている。これにより係止片３６ｂは無段階式に回動される。
【００４０】
図４に示すように、本体基部３の上部で正面から向かって左側の角部には、前面扉４を回動自在に保持する第１扉支持部４０が本体基部３の前方に突出するように設けられている。第１扉支持部４０には第１扉支持孔４０ａが形成されている。この第１扉支持孔４０ａは、上支軸２９が挿脱自在となるように上支軸２９の径よりも僅かに大きく形成されている。また、本体基部３の正面視左側部には第２扉支持部４１が設けられている。この第２扉支持部４１には第１扉支持孔４０ａと対向するように第２扉支持孔４１ａが形成されている。第２扉支持孔４１ａは、下支軸３０が挿脱自在となるように下支軸３０の径よりも僅かに大きく形成されている。
【００４１】
前面扉４を本体基部３に取り付ける場合、先ず操作レバー３１を操作して上支軸２９をガイド穴３２ａの内部に引き込んだ状態で第２扉支持孔４１ａに下支軸３０を挿入するとともに、引き込んだ上支軸２９を第１扉支持孔４０ａの位置に合わせる。次いでその位置において操作レバー３１による操作を解除して上支軸２９をガイド穴３２ａの内部から外部に引き出し、上支軸２９を第１扉支持孔４０ａに挿入する。これにより前面扉４は本体基部３の前面に対して開閉自在に軸着される。
【００４２】
本体基部３の正面視左側部における第１扉支持部４０と第２扉支持部４１との間には、縦長で断面が略Ｌ字状の支持板４３が設けられている。本体基部３の正面視左側部には遊技盤５の盤面５ｂに対して平行な平坦面３ａが設けられており、この平坦面３ａに支持板４３が固定されている。支持板４３は、平坦面３ａに固定される固定片４３ａと、この固定片４３ａに対して略垂直方向で且つ本体基部３の前方に向けて突出するように折り曲げられた突出片４３ｂとを有している。支持板４３は、縦長の薄板が遊技領域５ａの前方側に突き出すように平坦面３ａに固定され、その薄板における遊技領域５ａの前方側に突き出された部分を本体基部３の前方側に折曲して成形される。なお、薄板はビスや工業用接着剤などを用いて平坦面３ａに固定されていれば良い。
【００４３】
突出片４３ｂの突出方向の先端部における上下には一定の間隔を離間させて、外ガラス支持部（第１軸受け）４５が１つずつ設けられている。外ガラス支持部４５は、外ガラス支軸部４６（図５参照）を挿脱自在で且つ回動自在に保持するためのものである。外ガラス支持部４５は、突出片４３ｂの突出方向に対して略垂直方向で且つ遊技領域５ａから離反する本体基部３の側面方向に折曲して成形された外ガラス受け台４５ａと、この外ガラス受け台４５ａに形成されており、上下方向に貫通している外ガラス支持孔４５ｂとから構成されている。
【００４４】
図５に示すように、外ガラスユニット２０は、略矩形状の外ガラス２０ａと、この外ガラス２０ａを縁取っている外ガラス枠２０ｂとを備えている。外ガラス２０ａは、上面の中央部が上方に向けて略台形状にやや盛り上がっており、開口４ａを塞ぐとともに透過型液晶２１ｂの前面２１ｃ（図２及び図６参照）を覆うように成形されている。外ガラス枠２０ｂにおける一方の側面２０ｃの上下には一定の間隔を離間させて、且つ外ガラス支持部４５に対応するように外ガラス支軸部（第１軸）４６が１つずつ設けられている。この外ガラス支軸部４６は外ガラス枠２０ｂに一体成形されている。
【００４５】
この外ガラス支軸部４６は、外ガラスユニット２０を本体基部３に対して挿脱自在で且つ回動自在に軸支させるためのものである。外ガラス支軸部４６は、外ガラス２０ａの背面２０ｅに対して略直交するように側面２０ｃから外ガラス２０ａの背面２０ｅ側に向けて突出するようにして成形された外ガラス腕部４６ａと、この外ガラス腕部４６ａの下面から下方に向けて突設された円柱状の外ガラス支軸４６ｂとから構成されている。なお、外ガラス腕部４６ａは、背面２０ｅ側に向けて突出している部分の長さが液晶枠２１ａの厚みに内ガラス枠２２ｂの厚みを加えた長さよりも長くなるように設計されている。
【００４６】
外ガラス枠２０ｂにおける他方の側面２０ｄの上下には一定の間隔を離間させて外ガラス止め部材３５に対応して係止させるように略矩形状の突片４８が１つずつ設けられている。この突片４８は側面２０ｄから離反するように突出しており、外ガラス枠２０ｂに一体成形されている。
【００４７】
外ガラス支持孔４５ｂは、外ガラス支軸４６ｂが挿脱自在となるように外ガラス支軸４６ｂの径よりも僅かに大きく形成されている。よって、外ガラス支軸４６ｂを外ガラス支持孔４５ｂに挿入することにより外ガラスユニット２０が本体基部３に回動自在に軸支され、外ガラス支持孔４５ｂから外ガラス支軸４６ｂを引き抜くことにより外ガラスユニット２０が本体基部３から取り外される。このように外ガラス支軸部４６と外ガラス支持部４５は、外ガラス２０ａを本体基部３に着脱自在に取り付ける第１保持手段として機能する。
【００４８】
外ガラス支軸４６ｂを外ガラス支持孔４５ｂに挿入して外ガラスユニット２０を本体基部３に回動自在に軸支し、外ガラスユニット２０を前面扉４の背面４ｂに向けて回動させて外ガラス枠２０ｂを枠２７の縁に突き当てた後、係止片３５ｂを回動させて突片４８に係止すると外ガラスユニット２０は前面扉４に対して回動不能な状態となる。また、係止片３５ｂを回動させて係止を解除すると外ガラスユニット２０は前面扉４に対して回動可能な状態となる。すなわち、係止片３５ｂが回動して突片４８に係止することにより外ガラス２０ａと前面扉４とが一体化され、係止片３５ｂによる係止を解除することにより外ガラス２０ａと前面扉４との一体化が解除される。このように係止片３５ｂ及び突片４８は、外ガラス２０ａが前面扉４に対して回動しないように外ガラス２０ａと前面扉４とを一体化させる第１一体化手段として機能する。
【００４９】
図６に示すように、突出片４３ｂの突出方向の先端部における上下には一定の間隔を離間させて、２つの外ガラス支持部４５の間に位置するように液晶支持部４９が１つずつ設けられている。液晶支持部４９は液晶ユニット２１を着脱自在に取り付けるためのものであり、突出片４３ｂの突出方向に対して略垂直方向で且つ遊技領域５ａから離反する本体基部３の側面方向に折曲して成形された液晶受け台４９ａと、この液晶受け台４９ａに形成されており、上下方向に貫通している液晶支持孔４９ｂとから構成されている。液晶支持孔４９ｂは、後述する液晶支軸５０ｂが挿脱自在となるように液晶支軸５０ｂの径よりも僅かに大きく形成されている。
【００５０】
液晶枠２１ａの正面視（前面２１ｃ側から見て）左側の側面２１ｅの上下には一定の間隔を離間させて、液晶支持部４９に対応するように液晶支軸部５０が１つずつ設けられている。液晶支軸部５０は、液晶ユニット２１を本体基部３に対して挿脱自在で且つ回動自在に軸支させるためのものであり、側面２１ｅから略垂直に突出した突出先端が液晶ユニット２１の後方に向けて平面視略Ｌ字形状に折曲して成形された液晶腕部５０ａと、この液晶腕部５０ａの下面から下方に向けて突設された円柱状の液晶支軸５０ｂとから構成されている。液晶支軸５０ｂは、液晶ユニット２１が本体基部３に軸支された際に、その軸心が本体基部３に軸支された外ガラスユニット２０の外ガラス支軸４６ｂの軸心と同軸上になるように設けられている。
【００５１】
液晶枠２１ａの正面視右側の側面２１ｆには液晶ユニット止め部材３６に対応して係止させるように突片５１が設けられている。この突片５１は側面２１ｆから離反するように突出しており、液晶枠２１ａに一体成形されている。
【００５２】
図６及び図７に示すように、側面２１ｅにおける２つの液晶支軸部５０の間には、上下に一定の間隔を離間させて、内ガラス支持部（第２軸受け）５５が１つずつ設けられている。内ガラス支持部５５は、内ガラス支軸部６０（図７参照）を挿脱自在で且つ回動自在に保持するためのものである。内ガラス支持部５５は、側面２１ｅから略垂直に突出した突出先端が液晶ユニット２１の後方に向けて平面視略Ｌ字形状に折曲して成形された内ガラス受け台５５ａと、この内ガラス受け台５５ａに形成されており、上下方向に貫通している内ガラス支持孔５５ｂとから構成されている。内ガラス支持孔５５ｂは、後述する内ガラス支軸６０ｂが挿脱自在となるように内ガラス支軸６０ｂの径よりも僅かに大きく形成されている。
【００５３】
液晶枠２１ａの背面２１ｇは、透過型液晶２１ｂの表面、すなわち前面２１ｃ及び背面２１ｄに対して平行に形成されている。この背面２１ｇの左上角部には内ガラス止め部材５６が設けられている。内ガラス止め部材５６は、背面２１ｇに対して略直交するように背面２１ｇから後方に向けて突出した軸心を有する円柱状の回動軸５６ａと、この回動軸５６ａの側周面に一体成形されている係止片５６ｂとから構成されている。回動軸５６ａは摩擦機能により所望の角度でフリーストップできるように背面２１ｇに回動自在に組み込まれている。これにより係止片５６ｂは無段階式に回動される。
【００５４】
図７に示すように、内ガラスユニット２２は、略矩形状の内ガラス２２ａと、この内ガラス２２ａを縁取っている内ガラス枠２２ｂとを備えている。内ガラス２２ａは、外ガラス２０ａと同様の形状を成しており、遊技領域５ａを覆うとともに、背面２１ｄを覆うように成形されている。内ガラス枠２２ｂの側面２２ｃの上下には一定の間隔を離間させて、内ガラス支持部５５に対応するように内ガラス支軸部（第２軸）６０が１つずつ設けられており、この内ガラス支軸部６０は内ガラス枠２２ｂに一体成形されている。
【００５５】
この内ガラス支軸部６０は、内ガラスユニット２２を液晶ユニット２１に対して挿脱自在で且つ回動自在に軸支させるためのものであり、内ガラス２２ａの表面に対して平行な方向で且つ側面２２ｃから離反するように延設された内ガラス腕部６０ａと、この内ガラス腕部６０ａの下面から下方に向けて突設された円柱状の内ガラス支軸６０ｂとから構成されている。
【００５６】
なお内ガラス支軸６０ｂは、内ガラスユニット２２が軸支された液晶ユニット２１を本体基部３に軸支した際に、その軸心が本体基部３に軸支された外ガラスユニット２０における外ガラス支軸４６ｂの軸心、及び液晶支軸５０ｂの軸心と同軸上になるように設けられている。
【００５７】
内ガラス枠２２ｂの内ガラス支軸部６０が設けられている側と反対側の側部における上面２２ｄには内ガラス止め部材５６に対応して係止させるように略矩形状の突片６１が設けられている。この突片６１は上面２２ｄから上方に向けて突出しており、内ガラス枠２２ｂに一体成形されている。
【００５８】
内ガラス支軸６０ｂを内ガラス支持孔５５ｂに挿入することにより内ガラスユニット２２が液晶ユニット２１に回動自在に軸支され、内ガラス支持孔５５ｂから内ガラス支軸６０ｂを引き抜くことにより内ガラスユニット２２が液晶ユニット２１から取り外される。このように内ガラス支持部５５と内ガラス支軸部６０は、内ガラス２２ａを液晶ユニット２１に着脱自在に取り付ける第２保持手段として機能する。
【００５９】
図７及び図８に示すように、内ガラス支持孔５５ｂに内ガラス支軸６０ｂを挿入して内ガラスユニット２２を液晶ユニット２１に回動自在に軸支し、内ガラスユニット２２を液晶枠２１ａの背面２１ｇに向けて回動させて内ガラス枠２２ｂを背面２１ｇに当接させた後、係止片５６ｂを回動させて突片６１に係止すると内ガラスユニット２２は液晶ユニット２１に対して回動不能な状態となる。また、係止片５６ｂを回動させて係止を解除すると内ガラスユニット２２は液晶ユニット２１に対して回動可能な状態となる。すなわち、係止片５６ｂが回動して突片６１に係止することにより内ガラス２２ａと液晶ユニット２１とが一体化され、係止片５６ｂによる係止を解除することにより内ガラス２２ａと液晶ユニット２１との一体化が解除される。このように係止片５６ｂ及び突片６１は、内ガラス２２ａが液晶ユニット２１に対して回動しないように内ガラス２２ａと液晶ユニット２１とを一体化させる第２一体化手段として機能する。
【００６０】
液晶ユニット２１を本体基部３に取り付ける場合、図６に示すように、液晶支持孔４９ｂに液晶支軸５０ｂを挿入する。また、液晶ユニット２１を本体基部３から取り外す場合、液晶支持孔４９ｂから液晶支軸５０ｂを引き抜く。このように液晶ユニット２１は、図９に示すように本体基部３の前面に対して開閉自在になるように取り付けられており、且つ本体基部３に着脱自在に取り付けられている。
【００６１】
液晶支持部４９と液晶支軸部５０とによって本体基部３に取り付けられた液晶ユニット２１（図２及び図９参照）を前面扉４の背面４ｂ側に回動させた後、係止片３６ｂ（図３参照）を回動させて突片５１に係止すると液晶ユニット２１は前面扉４に対して回動不能な状態となる。また、係止片３６ｂを回動させて係止を解除すると液晶ユニット２１は前面扉４に対して回動可能な状態となる。すなわち、係止片３６ｂを回動させて突片５１に係止することにより前面扉４と液晶ユニット２１とが一体化され、係止片３６ｂによる係止を解除することにより前面扉４と液晶ユニット２１との一体化が解除される。
【００６２】
また、図５に示すように、外ガラス支軸部４６と外ガラス支持部４５とにより外ガラスユニット２０を本体基部３に回動自在に軸支するとともに、係止片３５ｂを回動させて突片４８に係止することにより外ガラスユニット２０が前面扉４に対して回動しないように外ガラスユニット２０と前面扉４とを一体化させた状態で、且つ、図８に示すように、内ガラス支持部５５と内ガラス支軸部６０とにより内ガラスユニット２２を液晶ユニット２１に回動自在に軸支するとともに、係止片５６ｂを回動させて突片６１に係止することにより内ガラスユニット２２が液晶ユニット２１に対して回動しないように内ガラスユニット２２と液晶ユニット２１とを一体化させた状態で、液晶支持部４９と液晶支軸部５０とにより液晶ユニット２１を本体基部３に軸支するとともに、係止片３６ｂを突片５１に係止することにより前面扉４、外ガラスユニット２０、液晶ユニット２１、及び内ガラスユニット２２が一体化され、外ガラスユニット２０、液晶ユニット２１及び内ガラスユニット２２が前面扉４に対して回動不能となる。このように係止片３５ｂ及び突片４８、係止片５６ｂ及び突片６１、並びに係止片３６ｂ及び突片５１は、外ガラスユニット２０の外ガラス２０ａ、液晶ユニット２１、及び内ガラスユニット２２の内ガラス２２ａが前面扉４に対して回動しないように前面扉４、外ガラス２０ａ、液晶ユニット２１、及び内ガラス２２ａを一体化させる第３一体化手段として機能する。
【００６３】
次に、外ガラスユニット２０、液晶ユニット２１、及び内ガラスユニット２２をパチンコ機２に組み込む手順について説明する。先ず、前面扉４を回動させて本体基部３の前面側を開放して、図５に示すように、外ガラスユニット２０の外ガラス支軸４６ｂを本体基部３の外ガラス支持孔４５ｂに挿入して外ガラスユニット２０を本体基部３に取り付ける。外ガラスユニット２０を前面扉４の背面４ｂに向けて回動させて外ガラス枠２０ｂを枠２７の縁に当接させた後、係止片３５ｂを回動させて突片４８に係止する。これにより前面扉４と外ガラスユニット２０とが一体化し、外ガラスユニット２０は前面扉４に対して回動不能となる。
【００６４】
次に、図６に示すように、液晶ユニット２１の液晶支軸５０ｂを本体基部３の液晶支持孔４９ｂに挿入して液晶ユニット２１を本体基部３に取り付ける。次に、図７に示すように、内ガラスユニット２２の内ガラス支軸６０ｂを液晶ユニット２１の内ガラス支持孔５５ｂに挿入して内ガラスユニット２２を液晶ユニット２１に取り付ける。そして、内ガラスユニット２２を液晶ユニット２１の背面２１ｇに向けて回動させて内ガラス枠２２ｂを背面２１ｇに当接させた後、図８に示すように、係止片５６ｂを回動させて突片６１に係止する。これにより液晶ユニット２１と内ガラスユニット２２とが一体化し、内ガラスユニット２２は液晶ユニット２１に対して回動不能となる。
【００６５】
さらに、液晶ユニット２１を前面扉４の背面４ｂに向けて回動させて液晶枠２１ａを外ガラス枠２０ｂに突き当てる。次いでその状態を保持したまま係止片３６ｂを回動させて突片５１に係止する。これにより前面扉４、外ガラスユニット２０、液晶ユニット２１、及び内ガラスユニット２２が一体化し、外ガラスユニット２０、液晶ユニット２１、及び内ガラスユニット２２が前面扉４に対して回動不能となる。そして、前面扉４、外ガラスユニット２０、液晶ユニット２１、及び内ガラスユニット２２を一体化させた状態のまま前面扉４を本体基部３の前面に向けて回動させ、図示しない鍵で前面扉４を本体基部３にロックする。
【００６６】
次に、上述したようにパチンコ機２に組み込まれた外ガラスユニット２０、液晶ユニット２１、及び内ガラスユニット２２をパチンコ機２から取り外す手順について説明する。外ガラスユニット２０を取り外す場合、先ず、前面扉４と本体基部３とのロックを解除し、前面扉４を回動させて本体基部３の前面側を開放する。次に、係止片３６ｂを回動させて突片５１との係止を解除し、液晶ユニット２１及び内ガラスユニット２２を前面扉４の背面４ｂから離反させるように回動させる。そして、係止片３５ｂを回動させて突片４８との係止を解除し、外ガラスユニット２０を前面扉４の背面４ｂから離反させるようにして回動させた後、外ガラス支軸４６ｂを外ガラス支持孔４５ｂから引き抜く。
【００６７】
次に、内ガラスユニット２２を取り外す場合、先ず、係止片５６ｂを回動させて突片６１との係止を解除する。そして、内ガラスユニット２２を液晶枠２１ａの背面２１ｇから離反させるようにして回動させた後、内ガラス支軸６０ｂを内ガラス支持孔５５ｂから引き抜く。液晶ユニット２１を取り外す場合、液晶支軸５０ｂを液晶支持孔４９ｂから引き抜けば良い。
【００６８】
なお、内ガラス支軸６０ｂを内ガラス支持孔５５ｂに挿入したままの状態で、液晶支軸５０ｂを液晶支持孔４９ｂから引き抜くことにより内ガラスユニット２２を液晶ユニット２１とともに取り外すことができる。
【００６９】
以上のように、液晶ユニット２１を本体基部３に着脱自在に設け、前面扉４の開口４ａを塞ぐとともに透過型液晶２１ｂの前面２１ｃを覆う外ガラス２０ａを本体基部３に着脱自在に取り付け、さらに、透過型液晶２１ｂの背面２１ｄを覆う内ガラス２２ａを液晶ユニット２１に着脱自在に取り付けたので、外ガラス２０ａ、内ガラス２２ａ、及び液晶ユニット２１の取り付け又は取り外し作業、及びメンテナンス作業を効率的に行うことができる。また、パチンコ機２の機種変更やデザイン変更または故障による交換などを行うにあたって、液晶ユニット２１を交換する場合には、外ガラスユニット２０を本体基部３に取り付けたままの状態にしておき、液晶ユニット２１から内ガラスユニット２２を取り外して、液晶ユニット２１のみを新規のものに交換することで外ガラスユニット２０、及び内ガラスユニット２２を使い回すことが可能となり、これによりコストダウンを図ることができる。
【００７０】
また、外ガラス支軸４６ｂ、液晶支軸５０ｂ及び内ガラス支軸６０ｂが同軸上に設けられているので、内ガラスユニット２０、液晶ユニット２１、及び外ガラスユニット２２における対応関係の寸法精度を高めることができ、内ガラスユニット２０、液晶ユニット２１、及び外ガラスユニット２２を適切な箇所に設置することができる。なお、外ガラス支軸４６ｂ、液晶支軸５０ｂ及び内ガラス支軸６０ｂを上支軸２９及び下支軸３０と同軸上になるように設けても良い。これにより内ガラスユニット２０、液晶ユニット２１、及び外ガラスユニット２２の前面扉４に対する寸法精度を高めることができる。
【００７１】
上記実施形態では、透過型液晶２１ｂに表示される画像は、透光性を有するものであり、その画像の上から遊技領域５ａを視認することができるとしたが、透過型液晶２１ｂにおいて、遊技領域５ａの全体を視認可能５ａにする透過状態と、画像を表示させ、その画像によって遊技領域５ａの一部を視認不能にする表示状態とを設け、遊技状況に応じて透過状態と表示状態とを切り替えるようにしても良く、透過型液晶２１ｂに表示される画像の形態、及び画像の表示方法は目的に応じて適宜に変更可能である。
【００７２】
上記実施形態では、透過型液晶２１ｂを用いたが、これに限ることなく、遊技領域５ａを視認可能にする有機ＥＬを用いても良い。
【００７３】
上記実施形態では、第１軸受けとして機能する外ガラス支持部４５を本体基部３に設け、第１軸として機能する外ガラス支軸部４６を外ガラスユニット２０に設けたが、本体基部３に第１軸を設け、外ガラスユニット２０に第１軸受けを設けるようにしても良い。
【００７４】
上記実施形態では、第２軸受けとして機能する内ガラス支持部５５を液晶ユニット２１に設け、第２軸として機能する内ガラス支軸部６０を内ガラスユニット２２に設けたが、液晶ユニット２１に第２軸を設け、内ガラスユニット２２に第２軸受けを設けるようにしても良い。
【００７５】
上記実施形態では、前面扉４の背面４ｂに外ガラス止め部材３５を設け、この外ガラス止め部材３５の係止片３５ｂを突片４８に係止することにより外ガラスユニット２０が前面扉４に対して回動不能となるように前面扉４と外ガラスユニット２０とを一体化させたが、図１０に示すように、外ガラス止め部材３５の代わりに係止部材６５を前面扉６６に設け、突片４８の代わりに挿通孔６７ａが形成された突片６７を外ガラスユニット６８の外ガラス枠６８ｂに一体成形し、係止部材６５と挿通孔６７ａとを用いて外ガラスユニット６８が前面扉６６に対して回動不能となるように前面扉６６と外ガラスユニット６８とを一体化させるようにしても良い。
【００７６】
なお、前面扉６６は、外ガラス止め部材３５の代わりに係止部材６５が設けられた以外は前面扉４と同様に構成されており、外ガラスユニット６８及び外ガラス枠６８ｂは、突片４８の代わりに突片６７が外ガラス枠６８ｂに一体成形された以外は外ガラスユニット２０及び外ガラス枠２０ｂと同様に構成されているので、以下の説明では、同様の構成部材については同一の符号を付し説明を省略する。
【００７７】
係止部材６５は前面扉６６の背面６６ｂにおいて、外ガラス止め部材３５が背面４ｂに設けられた箇所と同様の箇所に設けられている。係止部材６５は、軸部６５ａと係止部６５ｂとを備えている。軸部６５ａは、背面６６ｂに対して略直交するように背面６６ｂから後方に突出した円柱であり、背面６６ｂに一体成形されている。軸部６５ａの先端には縦長で略矩形状の係止部６５ｂが回動自在に取り付けられている。
【００７８】
突片６７は外ガラス枠６８ｂにおいて、突片４８が外ガラス枠２０ｂに一体成形された箇所と同様の箇所に係止部材６５と対応するように一体成形されている。突片６７には挿通孔６７ａが形成されている。この挿通孔６７ａは係止部６５ｂと相似形状であり、且つ係止部６５ｂよりも僅かに大きく形成されている。
【００７９】
外ガラス支軸部４６と外ガラス支持部４５とにより外ガラスユニット６８を本体基部３に回動自在に取り付けた後、外ガラスユニット６８を前面扉６６の背面６６ｂに向けて回動させながら、図１１に示すように、係止部６５ｂと挿通孔６７ａとの位置を合わせて係止部６５ｂを挿通孔６７ａに挿通する。そして、係止部６５ｂを挿通孔６７ａから突出させた後、図１２に示すように、係止部６５ａを略９０度回動させると係止部６５ｂが突片６７に係止し、前面扉６６と外ガラスユニット６８とが一体化する。これにより外ガラスユニット６８が前面扉６６に対して回動不能となる。なお、係止部６５ｂを回動させて係止部６５ｂによる係止を解除すると、前面扉６６と外ガラスユニット６８との一体化が解除され、外ガラスユニット６８が前面扉６６に対して回動可能となる。このように係止部６５ｂ及び挿通孔６７ａは、外ガラスユニット６８の外ガラス２０ａが前面扉６６に対して回動しないように外ガラス２０ａと前面扉６６とを一体化させる第１一体化手段として機能する。
【００８０】
上記実施形態では、液晶ユニット２１の背面２１ｇに内ガラス止め部材５６を設け、この内ガラス止め部材５６の係止片５６ｂを突片６１に係止することにより内ガラスユニット２２が液晶ユニット２１に対して回動不能となるように液晶ユニット２１と内ガラスユニット２２とを一体化させたが、図１３に示すように、内ガラス止め部材５６の代わりに係止部材７０を液晶ユニット７１の液晶枠７１ａに設け、突片６１の代わりに挿通孔７２ａが形成された突片７２を内ガラスユニット７３の内ガラス枠７３ｂに一体成形し、係止部材７０と挿通孔７２ａとを用いて内ガラスユニット７３が液晶ユニット７１に対して回動不能となるように液晶ユニット７１と内ガラスユニット７３とを一体化させるようにしても良い。
【００８１】
なお、液晶ユニット７１及び液晶枠７１ａは、内ガラス止め部材５６の代わりに係止部材７０が設けられた以外は液晶ユニット２１及び液晶枠２１ａと同様に構成されており、内ガラスユニット７３及び内ガラス枠７３ｂは、突片６１の代わりに突片７２が内ガラス枠７３ｂに一体成形された以外は内ガラスユニット２２及び内ガラス枠２２ｂと同様に構成されているので、以下の説明では、同様の構成部材については同一の符号を付し説明を省略する。
【００８２】
係止部材７０は液晶枠７１ａの背面７１ｇにおいて、内ガラス止め部材５６が液晶枠２１ａに設けられた箇所と同様の箇所に設けられている。係止部材７０は、係止部材６５と同様に構成されており、液晶枠７１ａの背面７１ｇに一体成形された軸部７０ａと、この軸部７０ａの先端に回動自在に取り付けられた係止部７０ｂとを備えている。
【００８３】
突片７２は内ガラス枠７３ｂにおいて、突片６１が内ガラス枠２２ｂに一体成形された箇所と同様の箇所に係止部材７０と対応するように一体成形されている。突片７２には挿通孔７２ａが形成されている。この挿通孔７２ａは係止部７０ｂと相似形状であり、且つ係止部７０ｂよりも僅かに大きく形成されている。
【００８４】
内ガラス支持部５５と内ガラス支軸部６０とにより内ガラスユニット２２を液晶ユニット７１に回動自在に取り付けた後、内ガラスユニット２２を液晶枠７１ａの背面７１ｇに向けて回動させながら、係止部７０ｂを挿通孔７２ａに挿通し、次いで係止部７０ｂを略９０度回動させると係止部７０ｂが突片７２に係止し、液晶ユニット７１と内ガラスユニット７３とが一体化する。これにより内ガラスユニット７３が液晶ユニット７１に対して回動不能となる。なお、係止部７０ｂを回動させて係止部７０ｂによる係止を解除すると、液晶ユニット７１と内ガラスユニット７３との一体化が解除され、内ガラスユニット７３が液晶ユニット７１に対して回動可能となる。このように係止部７０ｂ及び挿通孔７２ａは、内ガラスユニット７３の内ガラス２２ａが液晶ユニット７１に対して回動しないように内ガラス２２ａと液晶ユニット７１とを一体化させる第２一体化手段として機能する。
【００８５】
上記実施形態では、前面扉４の背面４ｂに液晶ユニット止め部材３６を設け、この液晶ユニット止め部材３６の係止片３６ｂを突片５１に係止することにより液晶ユニット２１が前面扉４に対して回動不能となるように前面扉４と液晶ユニット２１とを一体化させたが、図１４に示すように、液晶ユニット止め部材３６の代わりに係止部材７５を前面扉７６に設け、突片５１の代わりに挿通孔７７ａが形成された突片７７を液晶ユニット（画像表示装置）７８の液晶枠７８ａに一体成形し、係止部材７５と挿通孔７７ａとを用いて液晶ユニット７８が前面扉７６に対して回動不能となるように前面扉７６と液晶ユニット７８とを一体化させるようにしても良い。
【００８６】
なお、前面扉７６は、液晶ユニット止め部材３６の代わりに係止部材７５が設けられた以外は前面扉４と同様に構成されており、液晶ユニット７８及び液晶枠７８ａは、突片５１の代わりに突片７７が液晶枠７８ａに一体成形された以外は液晶ユニット２１及び液晶枠２１ａと同様に構成されているので、以下の説明では、同様の構成部材については同一の符号を付し説明を省略する。
【００８７】
係止部材７５は前面扉７６の背面７６ｂにおいて、液晶ユニット止め部材３６が背面４ｂに設けられた箇所と同様の箇所に設けられている。係止部材７５は、軸部７５ａと係止部７５ｂとを備えている。軸部７５ａは、背面７６ｂに対して略直交するように背面７６ｂから後方に突出した円柱であり、背面７６ｂに一体成形されている。軸部７５ａの先端には縦長で略矩形状の係止部７５ｂが回動自在に取り付けられている。
【００８８】
突片７７は液晶枠７８ａにおいて、突片５１が液晶枠２１ａに一体成形された箇所と同様の箇所に係止部材７５と対応するように一体成形されている。突片７７には挿通孔７７ａが形成されている。この挿通孔７７ａは係止部７５ｂと相似形状であり、且つ係止部７５ｂよりも僅かに大きく形成されている。
【００８９】
液晶支持部４９（図５参照）と液晶支軸部５０とにより液晶ユニット７８を本体基部３に回動自在に取り付けた後、液晶ユニット７８を前面扉７６の背面７６ｂに向けて回動させながら、係止部７５ｂを挿通孔７７ａに挿通し、次いで係止部７５ｂを略９０度回動させると係止部７５ｂが突片７７に係止し、前面扉７６と液晶ユニット７８とが一体化する。これにより液晶ユニット７８が前面扉７６に対して回動不能となる。なお、係止部７５を回動させて係止部７５ｂによる係止を解除すると、前面扉７６と液晶ユニット７８との一体化が解除され、液晶ユニット７８が前面扉７６に対して回動可能となる。
【００９０】
また、図５に示すように、外ガラス支軸部４６と外ガラス支持部４５とにより外ガラスユニット２０を本体基部３に回動自在に軸支するとともに、係止片３５ｂを突片４８に係止することにより外ガラスユニット２０が前面扉７６に対して回動しないように外ガラスユニット２０と前面扉７６とを一体化させた状態で、且つ、内ガラス支持部５５と内ガラス支軸部６０とにより内ガラスユニット２２を液晶ユニット７８に回動自在に軸支するとともに、係止片５６ｂを突片６１に係止することにより内ガラスユニット２２が液晶ユニット７８に対して回動しないように内ガラスユニット２２と液晶ユニット７８とを一体化させた状態で、液晶支持部４９と液晶支軸部５０とにより液晶ユニット７８を本体基部３に回動自在に軸支するとともに、係止部７５ｂを挿通孔７７ａに挿通し、係止部７５ｂを回動させて突片７７に係止することにより前面扉７６、外ガラスユニット２０、液晶ユニット７８及び内ガラスユニット２２が一体化され、外ガラスユニット２０、液晶ユニット７８及び内ガラスユニット２２が前面扉７６に対して回動不能となる。このように係止片３５ｂ及び突片４８、係止片５６ｂ及び突片６１、並びに係止部７５ｂ及び挿通孔７７ａは、外ガラスユニット２０の外ガラス２０ａ、液晶ユニット７８、及び内ガラスユニット２２の内ガラス２２ａが前面扉７６に対して回動しないように前面扉７６、外ガラス２０ａ、液晶ユニット７８及び内ガラス２２ａを一体化させる第３一体化手段として機能する。
【００９１】
上記実施形態では、前面扉４の背面４ｂに外ガラス止め部材３５を設け、この外ガラス止め部材３５の係止片３５ｂを突片４８に係止することにより外ガラスユニット２０が前面扉４に対して回動不能となるように前面扉４と外ガラスユニット２０とを一体化させたが、図１５に示すように、外ガラス止め部材３５の代わりに係止突起８０を前面扉８１に設け、突片４８の代わりに係止孔８２ａが形成された突片８２を外ガラスユニット８３の外ガラス枠８３ｂに一体成形し、係止突起８０と係止孔８２ａとを用いて外ガラスユニット８３が前面扉８１に対して回動不能となるように前面扉８１と外ガラスユニット８３とを一体化させるようにしても良い。
【００９２】
なお、前面扉８１は、外ガラス止め部材３５の代わりに係止突起８０が設けられた以外は前面扉４と同様に構成されており、外ガラスユニット８３及び外ガラス枠８３ｂは、突片４８の代わりに突片８２が外ガラス枠８３ｂに一体成形された以外は外ガラスユニット２０及び外ガラス枠２０ｂと同様に構成されているので、以下の説明では、同様の構成部材については同一の符号を付し説明を省略する。
【００９３】
係止突起８０は前面扉８１の背面８１ｂにおいて、外ガラス止め部材３５が背面４ｂに設けられた箇所と同様の箇所に設けられている。係止突起８０は、弾性変形可能な樹脂等からなり、背面８１ｂに一体成形されている。係止突起８０は、軸部８０ａと係止部８０ｂとから構成されている。軸部８０ａは背面８１ｂに対して略直交するように背面８１ｂから後方に向けて突出した円柱であり、軸部８０ａの先端部には角が取れた略円錐状の係止部８０ｂが形成されている。
【００９４】
突片８２は外ガラス枠８３ｂにおいて、突片４８が外ガラス枠２０ｂに一体成形された箇所と同様の箇所に係止突起８０と対応するように一体成形されている。突片８２には円形状の係止孔８２ａが形成されている。この係止孔８２ａは、軸部８０ａの径よりも僅かに大きく、且つ係止部８０ｂよりも僅かに小さく形成されており、突片８２を貫通している。
【００９５】
外ガラス支軸部４６と外ガラス支持部４５とにより外ガラスユニット８３を本体基部３に回動自在に取り付けた後、外ガラスユニット８３を前面扉８１の背面８１ｂに向けて回動させながら、係止突起８０を係止部８０ｂから係止孔８２ａに圧入していくと、係止部８０ｂは係止孔８２ａの壁面によって内方に縮みながら係止孔８２ａ内に進入していく。やがて係止突起８０が突片８２を貫通すると、係止部８０ｂが外方に膨らんで元の大きさに復帰して係止孔８２ａを通過不能となり、前面扉８１と外ガラスユニット８３とが一体化される。これにより外ガラスユニット８３が前面扉８１に対して回動不能となる。
【００９６】
また、係止孔８２ａから係止部８０ｂを強引に引き抜くように前面扉８１と外ガラスユニット８３とを離反させるような外力を加えると、係止部８０ｂは係止孔８２ａ内を係止孔８２ａの壁面によって内方に縮みながら通過し、やがて係止部８０ｂは係止孔８２ａから引き抜かれる。これにより前面扉８１と外ガラスユニット８３との一体化が解除され、外ガラスユニット８３が前面扉８１に対して回動可能となる。このように係止突起８０と係止孔８２ａは、外ガラスユニット８３の外ガラス２０ａが前面扉８１に対して回動しないように外ガラス２０ａと前面扉８１とを一体化させる第１一体化手段として機能する。
【００９７】
上記実施形態では、液晶ユニット２１の背面２１ｇに内ガラス止め部材５６を設け、この内ガラス止め部材５６の係止片５６ｂを突片６１に係止することにより内ガラスユニット２２が液晶ユニット２１に対して回動不能となるように液晶ユニット２１と内ガラスユニット２２とを一体化させたが、図１６に示すように、内ガラス止め部材５６の代わりに係止突起８５を液晶ユニット（画像表示装置）８６の液晶枠８６ａに設け、突片６１の代わりに係止孔８７ａが形成された突片８７を内ガラスユニット８８の内ガラス枠８８ｂに一体成形し、係止突起８５と係止孔８７ａとを用いて内ガラスユニット８８が液晶ユニット８６に対して回動不能となるように液晶ユニット８６と内ガラスユニット８８とを一体化させるようにしても良い。
【００９８】
なお、液晶ユニット８６及び液晶枠８６ａは、内ガラス止め部材５６の代わりに係止突起８５が設けられた以外は液晶ユニット２１及び液晶枠２１ａと同様に構成されており、内ガラスユニット８８及び内ガラス枠８８ｂは、突片６１の代わりに突片８７が内ガラス枠８８ｂに一体成形された以外は内ガラスユニット２２及び内ガラス枠２２ｂと同様に構成されているので、以下の説明では、同様の構成部材については同一の符号を付し説明を省略する。
【００９９】
係止突起８５は液晶枠８６ａの背面８６ｇにおいて、内ガラス止め部材５６が背面２１ｇに設けられた箇所と同様の箇所に設けられている。係止突起８５は、弾性変形可能な樹脂等からなり、背面８６ｇに一体成形されている。係止突起８５は、軸部８５ａと係止部８５ｂとから構成されている。軸部８５ａは背面８６ｇに対して略直交するように背面８６ｇから後方に向けて突出した円柱であり、軸部８５ａの先端部には角が取れた略円錐状の係止部８５ｂが形成されている。
【０１００】
突片８７は内ガラス枠８８ｂにおいて、突片６１が内ガラス枠２２ｂに一体成形された箇所と同様の箇所に係止突起８５と対応するように一体成形されている。突片８７には円形状の係止孔８７ａが形成されている。この係止孔８７ａは、軸部８５ａの径よりも僅かに大きく、且つ係止部８５ｂよりも僅かに小さく形成されており、突片８７を貫通している。
【０１０１】
内ガラス支持部５５と内ガラス支軸部６０とにより内ガラスユニット８８を液晶ユニット８６に取り付けた後、内ガラスユニット８８を液晶枠８６ａの背面８６ｇに向けて回動させながら、係止突起８５を係止部８５ｂから係止孔８７ａに圧入していくと、係止部８５ｂは係止孔８７ａの壁面によって内方に縮みながら係止孔８７ａ内に進入していく。やがて係止突起８５が突片８７を貫通すると、係止部８５ｂが外方に膨らんで元の大きさに復帰して係止孔８７ａを通過不能となり、液晶ユニット８６と内ガラスユニット８８とが一体化される。これにより内ガラスユニット８８が液晶ユニット８６に対して回動不能となる。
【０１０２】
また、係止孔８７ａから係止部８５ｂを強引に引き抜くように液晶ユニット８６と内ガラスユニット８８とを離反させるような外力を加えると、係止部８５ｂは係止孔８７ａ内を係止孔８７ａの壁面によって内方に縮みながら通過し、やがて係止部８５ｂは係止孔８７ａから引き抜かれる。これにより液晶ユニット８６と内ガラスユニット８８との一体化が解除され、内ガラスユニット８８が液晶ユニット８６に対して回動可能となる。このように係止突起８０と係止孔８２ａは、内ガラスユニット８８の内ガラス２２ａが液晶ユニット８６に対して回動しないように内ガラス２２ａと液晶ユニット８６とを一体化させる第２一体化手段として機能する。
【０１０３】
上記実施形態では、前面扉４の背面４ｂに液晶ユニット止め部材３６を設け、この液晶ユニット止め部材３６の係止片３６ｂを突片５１に係止することにより液晶ユニット２１が前面扉４に対して回動不能となるように前面扉４と液晶ユニット２１とを一体化させたが、図１７に示すように、液晶ユニット止め部材３６の代わりに係止突起９０を前面扉９１に設け、突片５１の代わりに係止孔９２ａが形成された突片９２を液晶ユニット（画像表示装置）９３の液晶枠９３ａに一体成形し、液晶ユニット９３が前面扉９１に対して回動不能となるように前面扉９１と液晶ユニット９３とを一体化させるようにしても良い。
【０１０４】
なお、前面扉９１は、液晶ユニット止め部材３６の代わりに係止突起９０が設けられた以外は前面扉４と同様に構成されており、液晶ユニット９３及び液晶枠９３ａは、突片５１の代わりに突片９２が液晶枠９２ａに一体成形された以外は液晶ユニット２１及び液晶枠２１ａと同様に構成されているので、以下の説明では、同様の構成部材については同一の符号を付し説明を省略する。
【０１０５】
係止突起９０は前面扉９１の背面９１ｂにおいて、液晶ユニット止め部材３６が背面４ｂに設けられた箇所と同様の箇所に設けられている。係止突起９０は、弾性変形可能な樹脂等からなり、背面９１ｂに一体成形されている。係止突起９０は、軸部９０ａと係止部９０ｂとから構成されている。軸部９０ａは背面９１ｂに対して略直交するように背面９１ｂから後方に向けて突出した円柱であり、軸部９０ａの先端部には角が取れた略円錐状の係止部９０ｂが形成されている。
【０１０６】
突片９２は液晶枠９３ａにおいて、突片５１が液晶枠２１ａに一体成形された所と同様の箇所に係止突起９０と対応するように一体成形されている。突片９２には円形状の係止孔９２ａが形成されている。この係止孔９２ａは、軸部９０ａの径よりも僅かに大きく、且つ係止部９０ｂよりも僅かに小さく形成されており、突片９２を貫通している。
【０１０７】
液晶支持部４９（図５参照）と液晶支軸部５０とにより液晶ユニット９３を本体基部３に回動自在に取り付けた後、液晶ユニット９３を前面扉９１の背面９１ｂに向けて回動させながら、係止突起９０を係止部９０ｂから係止孔９２ａに圧入していくと、係止部９０ｂは係止孔９２ａの壁面によって内方に縮みながら係止孔９２ａ内に進入していく。やがて係止突起９０が突片９２を貫通すると、係止部９０ｂが外方に膨らんで元の大きさに復帰して係止孔９２ａを通過不能となり、前面扉９１と液晶ユニット９３とが一体化される。これにより液晶ユニット９３が前面扉９１に対して回動不能となる。
【０１０８】
また、係止孔９２ａから係止部９０ｂを強引に引き抜くように前面扉９１と液晶ユニット９３とを離反させるような外力を加えると、係止部９０ｂは係止孔９２ａ内を係止孔９２ａの壁面によって内方に縮みながら通過し、やがて係止部９０ｂは係止孔９２ａから引き抜かれる。これにより前面扉９１と液晶ユニット９３との一体化が解除され、液晶ユニット９３が前面扉９１に対して回動可能となる。
【０１０９】
また、図５に示すように、外ガラス支軸部４６と外ガラス支持部４５とにより外ガラスユニット２０を本体基部３に回動自在に軸支するとともに、係止片３５ｂを突片４８に係止することにより外ガラスユニット２０が前面扉９１に対して回動しないように外ガラスユニット２０と前面扉９１とを一体化させた状態で、且つ、内ガラス支持部５５と内ガラス支軸部６０とにより内ガラスユニット２２を液晶ユニット９３に回動自在に軸支するとともに、係止片５６ｂを突片６１に係止することにより内ガラスユニット２２が液晶ユニット９３に対して回動しないように内ガラスユニット２２と液晶ユニット９３とを一体化させた状態で、液晶支持部４９と液晶支軸部５０とにより液晶ユニット９３を本体基部３に回動自在に軸支するとともに、係止突起９０を係止孔９２ａに挿入することにより前面扉９１、液晶ユニット９３、及び内ガラスユニット２２が一体化され、外ガラスユニット２０、液晶ユニット９３、及び内ガラスユニット２２が前面扉９１に対して回動不能となる。このように係止片３５ｂ及び突片４８、係止片５６ｂ及び突片６１、並びに係止突起９０及び係止孔９２ａは、外ガラスユニット２０の外ガラス２０ａ、液晶ユニット９３及び内ガラスユニット２２の内ガラス２２ａが前面扉９１に対して回動しないように前面扉９１、外ガラス２０ａ、液晶ユニット９３及び内ガラス２２ａを一体化させる第３一体化手段として機能する。
【０１１０】
以上に説明したように、第１〜第３一体化手段としては複数の形態が考えられるが、これらを適宜に組み合わせて用いることも可能である。
【０１１１】
上記実施形態では、内ガラス支持部５５と内ガラス支軸部６０とにより内ガラスユニット２２を液晶ユニット（画像表示装置）２１に着脱自在に取り付けるようにしたが、図１８に示すように、内ガラス用スライド機構（第２スライド機構）１１１を液晶ユニット１１０の液晶枠１１０ａに設け、内ガラス枠２２ｂの内ガラス支軸部６０と突片６１とを削除した内ガラス枠１１３ｂを有する内ガラスユニット１１３を内ガラス用スライド機構１１１により液晶ユニット１１０に着脱自在に取り付けるようにしても良い。
【０１１２】
なお、液晶ユニット１１０及び液晶枠１１０ａは、液晶支軸部５０、突片５１、内ガラス支持部５５及び内ガラス止め部材５６が削除され、内ガラス用スライド機構１１１が設けられた以外は液晶ユニット２１及び液晶枠２１ａと同様に構成されており、内ガラスユニット１１３及び内ガラス枠１１３ｂは、内ガラス支軸部６０と突片６１とが削除された以外は内ガラスユニット２２及び内ガラス枠３３ｂと同様に構成されているので、以下の説明では、同様の構成部材については同一の符号を付し説明を省略する。
【０１１３】
レール１１４、１１５は、背面１１０ｇに対して略直交するように背面１１０ｇから後方に向けて突出している突出部１１４ａ、１１５ａと、その突出方向に対して略垂直方向となるように突出部１１４ａ、１１５ａにおける前記突出方向の先端から透過型液晶２１ｂの背面２１ｄ側に向けて延設された延設部１１４ｂ、１１５ｂとから構成されている。突出部１１４ａと突出部１１５ａとの距離ｓは内ガラス枠１１３ｂの横幅ｗよりも僅かに大きくなっており、背面１１０ｇから延設部１１４ｂまでの距離、及び背面１１０ｇから延設部１１５ｂまでの距離は内ガラス枠１１３ｂの厚みｋよりも僅かに大きくなっている。
【０１１４】
背面１１０ｇの下部には、レール１１４とレール１１５との間に位置するように横長直方体形状のストッパ１１２が設けられている。ストッパ１１２は、背面１１０ｇに対して略直交するように内ガラス枠１１３ｂの厚みｋ分だけ背面１１０ｇから後方に向けて突出している。
【０１１５】
内ガラスユニット１１３を液晶ユニット１１０に取り付ける場合、液晶ユニット１１０の上方から矢印Ａ方向に沿って内ガラスユニット１１３をレール１１４とレール１１５との間に差し込んだ後、レール１１４、レール１１５に沿って下方に向けてスライドさせていき、内ガラスユニット１１３の下面をストッパ１１２の上面１１２ａに当接させれば良い。また、内ガラスユニット１１３を液晶ユニット１１０から取り外す場合、内ガラスユニット１１３をレール１１４、１１５に沿って上方に向けてスライドさせれば良い。このようにスライド機構１１１は、内ガラスユニット１１３の内ガラス２２ａを液晶ユニット１１０に着脱自在に取り付ける第２保持手段として機能する。
【０１１６】
上記実施形態では、外ガラス支軸部４６と外ガラス支持部４５とにより外ガラスユニット２０を本体基部３に着脱自在に取り付けるようにしたが、図１９に示すように、外ガラス用スライド機構（第１スライド機構）１２０を本体基部１２１に設け、外ガラス枠２０ｂの外ガラス支軸部４６と突片４８とを削除した外ガラス枠１２３ｂを有する外ガラスユニット１２３を外ガラス用スライド機構１２０により本体基部１２１に着脱自在に取り付けるようにしても良い。
【０１１７】
なお、本体基部１２１は、支持板４３が削除され、後述するスライド機構ユニット１２５が設けられた以外は本体基部３と同様に構成されており、外ガラスユニット１２３及び外ガラス枠１２３ｂは、外ガラス支軸部４６と突片４８とが削除された以外は外ガラスユニット２０及び外ガラス枠２０ｂと同様に構成されているので、以下の説明では、同様の構成部材については同一の符号を付し説明を省略する。
【０１１８】
本体基部１２１の前面にはスライド機構ユニット１２５が設けられている。スライド機構ユニット１２５は、略Ｌ字状に折曲して成形された２つの折曲板１２６からなり、この２つの折曲板１２６は本体基部１２１における前面の左側部と右側部とに対向するように設けられている。折曲板１２６は、遊技盤５を上下方向に縦断するように直線状に成形された縦長部１２６ａと、縦長部１２６ａに対して略直交するように縦長部１２６ａの下端から遊技領域５ａ側に向けて折曲して成形された折曲部１２６ｂとから構成されている。
【０１１９】
縦長部１２６ａには外ガラス用スライド機構１２０と液晶ユニット用スライド機構１２７とが設けられている。外ガラス用スライド機構１２０は、２つの折曲板１２６に形成された長溝１２０ａから構成されており、液晶ユニット用スライド機構１２７は、２つの折曲板１２６に形成された長溝１２７ａから構成されている。
【０１２０】
長溝１２０ａ、１２７ａは、縦長部１２６ａの上下方向に直線状に形成されており、上端が開口されている。長溝１２０ａ、１２７ａは、長溝１２０ａが長溝１２７ａの前方に位置するように構成されている。長溝１２０ａは外ガラス枠１２３ｂの厚さよりも僅かに大きく形成されており、長溝１２７ａは液晶枠１１０ａの厚さよりも僅かに大きく形成されている。また、２つの折曲板１２６において、２つの長溝１２０ａ間の距離、及び２つの長溝１２７ａ間の距離は、外ガラス枠１２３ｂの横幅ｔよりも僅かに大きくなっている。なお、液晶枠１１０ａは、横幅が外ガラス枠１２３ｂの横幅ｔと同様になるように設計されている。
【０１２１】
外ガラスユニット１２３を本体基部１２１に取り付ける場合、本体基部１２１の上方から矢印Ｂ方向に沿って外ガラスユニット１２３を２つの長溝１２０ａの間に差し込んだ後、長溝１２０ａに沿って下方に向けてスライドさせていき、外ガラスユニット１２３の下面を図２０に示すように折曲部１２６ｂの上面１２６ｃに当接させれば良い。また、外ガラスユニット１２３を本体基部１２１から取り外す場合、外ガラスユニット１２３を長溝１２０ａに沿って上方に向けてスライドさせれば良い。このように長溝１２０ａからなる外ガラス用スライド機構１２０は、外ガラスユニット１２３の外ガラス２０ａを本体基部１２１に着脱自在に取り付ける第１保持手段として機能する。
【０１２２】
液晶ユニット１１０を本体基部１２１に取り付ける場合、内ガラス用スライド機構１１１によって内ガラスユニット１１３が取り付けられた液晶ユニット１１０を本体基部１２１の上方から矢印Ｃ方向に沿って２つの長溝１２７ａの間に差し込んだ後、液晶ユニット１１０を長溝１２７ａに沿って下方に向けてスライドさせていき、液晶ユニット１１０の下面を折曲部１２６ｂの上面１２６ｃに当接させれば良い。また、液晶ユニット１１０を本体基部１２１から取り外す場合、液晶ユニット１１０を長溝１２７ａに沿って上方に向けてスライドさせれば良い。
【０１２３】
なお、外ガラス支持部４５と外ガラス支軸部４６とにより外ガラスユニット２０を本体基部に取り付けるとともに、内ガラス用スライド機構１１１により内ガラスユニット１１３を液晶ユニット１１０に取り付け、上述した液晶ユニット用スライド機構により液晶ユニット１１０を本体基部に取り付けるようにしても良い。
【０１２４】
上記実施形態では、外ガラス支軸４６ｂ、液晶支軸５０ｂ及び内ガラス支軸６０ｂを同軸上に設けたが、これに限定されることなく、図２１に示すように前面扉４の上支軸２９及び下支軸３０、液晶支軸５０ｂ、外ガラス支軸４６ｂを同軸上に設け、これらと異なる軸上に内ガラス支軸６０ｂを設けるようにしてもよく、適宜変更可能である。なお、図２１（Ａ）は、正面断面図であり、図２１（Ｂ）は、右側面断面図である。
【０１２５】
上記実施形態では、パチンコ機２を例に挙げて説明したが、本発明はスロットマシンなどの各種遊技機にも適用することができる。
【図面の簡単な説明】
【０１２６】
【図１】本発明を適用したパチンコ機の外観を示す斜視図である。
【図２】前面扉、外ガラスユニット、液晶ユニット、及び内ガラスユニットを回動させて本体基部の前面を開放した状態を示す斜視図である。
【図３】前面扉の構成を示す背面側斜視図である。
【図４】遊技盤が取り付けられた状態の本体基部を示す斜視図である。
【図５】外ガラスユニット及び本体基部を示す斜視図である。
【図６】本体基部及び液晶ユニットを示す斜視図である。
【図７】液晶ユニット及び内ガラスユニットを示す背面側斜視図である。
【図８】内ガラスユニットが液晶ユニットに取り付けられた状態を示す斜視図である。
【図９】内ガラスユニットが取り付けられた液晶ユニットを本体基部に取り付けた状態を示す斜視図である。
【図１０】前面扉及び外ガラスユニットを示す背面側斜視図である。
【図１１】係止部が挿通孔に挿入された状態を示す正面図である。
【図１２】係止部が突起に係止した状態を示す正面図である。
【図１３】液晶ユニット及び内ガラスユニットを示す背面側斜視図である。
【図１４】前面扉及び液晶ユニットを示す背面側斜視図である。
【図１５】前面扉及び外ガラスユニットを示す背面側斜視図である。
【図１６】液晶ユニット及び内ガラスユニットを示す背面側斜視図である。
【図１７】前面扉及び液晶ユニットを示す背面側斜視図である。
【図１８】液晶ユニット及び内ガラスユニットを示す背面側斜視図である。
【図１９】外ガラスユニット及び本体基部を示す斜視図である。
【図２０】外ガラスユニットが取り付けられた本体基部、液晶ユニット、及び内ガラスユニットを示す斜視図である。
【図２１】上支軸及び下支軸と外ガラス支軸部と液晶支軸部と内ガラス支軸部との軸心位置を示す正面断面図及び右側面断面図である。
【符号の説明】
【０１２７】
２    パチンコ機
３、１２１    本体基部
４、６６、７６、８１、９１    前面扉
４ａ    開口
５    遊技盤
５ａ    遊技領域
２０、６８、８３、１２３    外ガラスユニット
２０ａ    外ガラス（第１透明板）
２０ｂ、６８ｂ、８３ｂ、１２３ｂ    外ガラス枠
２１、７１、７８、８６、９３、１１０    液晶ユニット（画像表示装置）
２１ａ、７１ａ、７８ａ、８６ａ、９３ａ。１１０ａ    液晶枠
２１ｂ    透過型液晶（透過型表示部）
２１ｃ    前面
２１ｄ    背面
２２、７３、８８、１１３    内ガラスユニット
２２ａ    内ガラス（第２透明板）
２２ｂ、７３ｂ、８８ｂ、１１３ｂ    内ガラス枠
４６    外ガラス支軸部（第１軸）
４６ａ    外ガラス腕部
４６ｂ    外ガラス支軸
４８、５１、６１、６７、７２、７７、８２、８７、９２    突片
４５    外ガラス支持部（第１軸受け）
４５ａ    外ガラス受け台
４５ｂ    外ガラス支持孔
３５    外ガラス止め部材
３５ａ、３６ａ、５６ａ    回動軸
３５ｂ、３６ｂ、５６ｂ    係止片
３６    液晶ユニット止め部材
４９    液晶支持部
５０    液晶支軸部
５５    内ガラス支持部（第２軸受け）
５５ａ    内ガラス受け台
５５ｂ    内ガラス支持孔
５６    内ガラス止め部材
６０    内ガラス支軸部（第２軸）
６０ａ    内ガラス腕部
６０ｂ    内ガラス支軸
６５、７０、７５    係止部材
６５ａ、７０ａ、７５ａ、８０ａ、８５ａ、９０ａ    軸部
６５ｂ、７０ｂ、７５ｂ、８０ｂ、８５ｂ、９０ｂ    係止部
６７ａ、７２ａ、７７ａ    挿通孔
８０、８５、９０    係止突起
８２ａ、８７ａ、９２ａ    係止孔
１１１    内ガラス用スライド機構（第２スライド機構）
１２０    外ガラス用スライド機構（第１スライド機構）
【図１】
2006212210.tif 000003
【図２】
2006212210.tif 000004
【図３】
2006212210.tif 000005
【図４】
2006212210.tif 000006
【図５】
2006212210.tif 000007
【図６】
2006212210.tif 000008
【図７】
2006212210.tif 000009
【図８】
2006212210.tif 000010
【図９】
2006212210.tif 000011
【図１０】
2006212210.tif 000012
【図１１】
2006212210.tif 000013
【図１２】
2006212210.tif 000014
【図１３】
2006212210.tif 000015
【図１４】
2006212210.tif 000016
【図１５】
2006212210.tif 000017
【図１６】
2006212210.tif 000018
【図１７】
2006212210.tif 000019
【図１８】
2006212210.tif 000020
【図１９】
2006212210.tif 000021
【図２０】
2006212210.tif 000022
【図２１】
2006212210.tif 000023